(57)【特許請求の範囲】
【請求項１】
男性器に装着され、前記男性器から排泄される尿を吸収する尿吸収物品であって、
一方の側面を構成するトップシートと、他方の側面を構成する液不透過性のバックシートと、前記トップシートと前記バックシートとの間に介在する吸収体とを有し、前記男性器が挿入される開口部が設けられた袋体を備え、
前記袋体の内周は、前記開口部の内周よりも大きくなっており、
前記袋体内部には、前記吸収体が配置されていない非配置領域が、前記袋体の底部に向けて延在しており、
前記袋体には、前記トップシートおよび前記バックシートの幅が大きくなることによって、前記袋体の両側の側部において、開口部に対して幅方向に広がる拡幅部が形成されており、
両側の前記拡幅部に前記非配置領域が形成されている尿吸収物品。
【請求項２】
請求項１に記載の尿吸収物品において、
前記非配置領域が前記袋体の底部にまで延びている尿吸収物品。
【請求項３】
請求項１または請求項２に記載の尿吸収物品において、
前記袋体の内周が、前記開口部から前記袋体の内部に向かうにつれて、次第に大きくなる尿吸収物品。
【請求項４】
請求項１から請求項３までのいずれか１項に記載の尿吸収物品において、
前記吸収体の幅方向の長さが、前記開口部の幅方向の長さを超えない尿吸収物品。
【請求項５】
請求項１から請求項４までのいずれか１項に記載の尿吸収物品において、
前記吸収体は、高分子吸収性樹脂からなる尿吸収物品。
【請求項６】
請求項１から請求項５までのいずれか１項に記載の尿吸収物品において、
前記開口部の近傍に設けられ、幅方向において収縮可能な伸縮部、
をさらに備える尿吸収物品。
【請求項７】
請求項１から請求項６までのいずれか１項に記載の尿吸収物品において、
前記開口部の近傍に設けられ、前記開口部の開口サイズを固定する固定部、
をさらに備える尿吸収物品。
【発明の詳細な説明】
【技術分野】
【０００１】
本発明は、男性器に装着されて男性器から排泄される尿を吸収する尿吸収物品に関する。
【背景技術】
【０００２】
おむつや下着の内側において男性器に直接装着されて、男性器から排泄される尿を吸収する採尿パッドが知られている。このような排尿パッドの一例として、開口部が形成された袋体のものであって、開口部から袋体の内部に男性器を挿入するものが提案されている（例えば、特許文献１）。
【先行技術文献】
【特許文献】
【０００３】
【特許文献１】特開２００４−１５９７２４号公報
【発明の概要】
【発明が解決しようとする課題】
【０００４】
ところが、従来の採尿パッドでは、袋体内部のほぼ全面に渡って吸収体が配置されている。そのため、尿が排泄される際に、排泄位置の吸収体が膨潤した結果、袋体の開口が部分的に塞がれてしまい、吸収しきれなかった尿が開口部から溢れ出る虞がある。そこで、尿が溢れ出ないように、採尿パッドによる尿の吸収効率を向上させる技術が求められている。
【０００５】
本発明は、このような事情に鑑みなされたものであり、尿吸収物品の尿の吸収効率を向上させる技術を提供することを目的とする。
【課題を解決するための手段】
【０００６】
上記課題を解決するため、第１の態様に係る尿吸収物品は、男性器に装着され、前記男性器から排泄される尿を吸収する尿吸収物品であって、一方の側面を構成するトップシートと、他方の側面を構成する液不透過性のバックシートと、前記トップシートと前記バックシートとの間に介在する吸収体とを有し、前記男性器が挿入される開口部が設けられた袋体を備え、前記袋体の内周は、前記開口部の内周よりも大きくなっており、前記袋体内部には、前記吸収体が配置されていない非配置領域が、前記袋体の底部に向けて延在しており、前記袋体には、前記トップシートおよび前記バックシートの幅が大きくなることによって、前記袋体の両側の側部において、開口部に対して幅方向に広がる拡幅部が形成されており、両側の前記拡幅部に前記非配置領域が形成されている。
【０００９】
第２の態様に係る尿吸収物品は、第１の態様に係る尿吸収物品において、前記非配置領域が前記袋体の底部にまで延びている。
【００１０】
第３の態様に係る尿吸収物品は、第１また第２の態様に係る尿吸収物品において、前記袋体の内周が、前記開口部から前記袋体の内部に向かうにつれて、次第に大きくなる。
【００１１】
第４の態様に係る尿吸収物品は、第１から第３の態様までのいずれか１態様に係る尿吸収物品において、前記吸収体の幅方向の長さが、前記開口部の幅方向の長さを超えない。
【００１２】
第５の態様に係る尿吸収物品は、第１から第４の態様までのいずれか１態様に係る尿吸収物品において、前記吸収体は、高分子吸収性樹脂からなる。
【００１３】
第６の態様に係る尿吸収物品は、第１から第５の態様までのいずれか１態様に係る尿吸収物品において、前記開口部の近傍に設けられ、幅方向において収縮可能な伸縮部、をさらに備える。
【００１４】
第７の態様に係る尿吸収物品は、第１から第６の態様までのいずれか１態様に係る尿吸収物品において、前記開口部の近傍に設けられ、前記開口部の開口サイズを固定する固定部、をさらに備える。
【発明の効果】
【００１６】
第１の態様に係る尿吸収物品によれば、袋体内部の内周を開口部の内周よりも大きくすることで、開口部が拡大することを抑えつつ、袋体内部の体積を増やすことができる。これにより、袋体の内部において、充分な量の吸収体を配置できるとともに、吸収体を配置しない非配置領域をも確保できる。したがって、排泄された尿が非配置領域を通って袋体の底部へ向けて流れ易くなるため、尿吸収物品の尿の吸収効率が向上する。
【００１７】
また、第１の態様に係る尿吸収物品によれば、排泄された尿が拡幅部の非配置領域を通って、底部へ向けて流れ易くなる。
【００１８】
また、第３の態様に係る尿吸収物品によれば、一方側にのみ拡幅部を設けることで、採尿パッドの着用すべき向きを袋体の形状から容易に特定できる。したがって、採尿パッドを好ましい形で着用することが容易になる。
【００１９】
また、第２の態様に係る尿吸収物品によれば、非配置領域が底部まで延びているため、排泄された尿が底部へ到達し易くなり、尿が開口部から溢れることを効果的に抑制できる。
【００２０】
また、第３の態様に係る尿吸収物品によれば、開口部付近から幅が次第に広がるため、非配置領域を確保し易くなり、排泄された尿が底部に向けて流れ易くなる。
【００２１】
また、第４の態様に係る尿吸収物品によれば、袋体内部のうち、少なくとも開口部よりも広くなっている部分を非配置領域として確保できる。
【００２２】
また、第５の態様に係る尿吸収物品によれば、吸収体が高分子吸収性樹脂からなるため、膨潤した際に、大幅に膨張することを抑制できる。袋体の内部空間が過剰に狭くなることを抑制できるため、開口部から尿が溢れることを抑制できる。
【００２３】
また、第６の態様に係る尿吸収物品によれば、伸縮部を設けることによって、男性器が袋体に収納された際に、袋体が着用者から外れ難くなる。
【００２４】
また、第７の態様に係る尿吸収物品によれば、男性器が袋体に収納された状態で開口部を所定サイズに固定することによって、袋体が着用者から外れることを抑制できる。
【図面の簡単な説明】
【００２６】
【図１】第１実施形態に係る採尿パッドの全体図である。
【図２】図１に示す採尿パッドのＡ−Ａ線断面図である。
【図３】採尿パッドの展開図である。
【図４】採尿パッドを男性器に装着するときの様子を示す図である。
【図５】第２実施形態に係る採尿パッドの全体図である。
【図６】第３実施形態に係る採尿パッドの全体図である。
【図７】採尿パッドの展開図である。
【図８】変形例に係る採尿パッドの全体図である。
【発明を実施するための形態】
【００２７】
以下、実施の形態について、添付した図面を参照しつつ説明する。
【００２８】
＜１．  第１実施形態＞
図１は、第１実施形態に係る採尿パッド１００の全体図である。また、図２は、図１に示す採尿パッド１００のＡ−Ａ線断面図である。また、図３は、採尿パッド１００の展開図である。なお、以下の説明では、採尿パッド１００を着用する者を着用者と称し、採尿パッド１００を着用者に着用させるよう介護する者を介護者と称する。
【００２９】
採尿パッド１００は、男性器（ペニス）Ｐに直接装着されて、男性器Ｐから排泄される尿を吸収する尿吸収物品である。着用者は、この採尿パッド１００を装着し、その上におむつや下着を着用する。少量の尿であれば、おむつや下着を交換せずに採尿パッド１００のみを交換すれば済むため、おむつや下着の使用量を減らすことができる。これにより、着用者の経済的負担や介護者の介護負担等が軽減されるとともに、環境保護にも資する。
【００３０】
採尿パッド１００は、男性器を収容可能な袋体１０を有している。袋体１０の上部には、男性器を袋体１０内部に挿入するための開口部１０Ｐが形成されている。採尿パッド１００に男性器を挿入する方向（挿入方向）は、採尿パッド１００の長手方向となっており、この挿入方向に直交する方向（直交方向）は、採尿パッド１００の幅方向となっている。
【００３１】
図２に示すように、袋体１０は、その内側面を構成する液透過性のトップシート１１と、外側面を構成する液不透過性のバックシート１２と、トップシート１１とバックシート１２との間に介在する吸収体１３とを有している。袋体１０の内部で排泄された尿は、トップシート１１を通過するが、バックシート１２を通過することなく吸収体１３に吸収されることとなる。
【００３２】
トップシート１１は、例えば、親水性繊維（セルロース、レーヨン、コットン等）を用いた不織布により構成される。なお、トップシート１１は、疎水性繊維（ポリプロピレン、ポリエチレン、ポリエステル、ポリアミド、ナイロン等）の表面を界面活性剤により処理して液透過性とした不織布により構成されていてもよい。
【００３３】
バックシート１２は、例えば、疎水性繊維（ポリプロピレン、ポリエチレン、ポリエステル、ポリアミド、ナイロン等）を用いた撥水性の不織布により構成される。なお、バックシート１２は、プラスチックフィルムにより構成されていてもよく、また、プラスチックフィルムとその外側に貼着された柔軟性の高い不織布とにより構成されていてもよい。
【００３４】
吸収体１３は、例えば顆粒状の高分子吸収体により構成される。図２に示すように、本実施形態では、バックシート１２の内側面に、接着剤（図示省略）を介して高分子吸収体が固定され、その内側に、高分子吸収体を被覆する液透過性の補助シート１４が設けられている。これにより、バックシート１２と補助シート１４との間に、高分子吸収体がシート状に分布した状態となっている。
【００３５】
なお、吸収体１３は、トップシート１１とバックシート１２との間において、補助シート１４を介することなく保持されていてもよい。また、吸収体１３は、粉砕したパルプ繊維やセルロース繊維等の親水性繊維の集合層に、顆粒状の高分子吸収体を混合した塊を、ティッシュペーパー等の紙シートまたは透液性の不織布シートで被覆したものでもよい。ただし、吸収体１３の嵩張りを抑制するために、吸収体１３をパルプ非存在の高分子吸収体により構成することが好ましい。さらには、吸収体１３を高分子吸収体のみで構成することが好ましい。
【００３６】
図２に示すように、バックシート１２の端部は、袋体１０の開口部１０Ｐの近傍において、内側へ折り畳まれている。そして、バックシート１２の折り畳まれた部分の内側に、複数本の弾性部材１５１で構成される伸縮部１５が設けられている。複数本の弾性部材１５１は、それぞれの自然長よりも伸長された状態で接着剤等によりバックシート１２に付着される。
【００３７】
弾性部材１５１には自然長に戻ろうとする弾性力が作用するため、伸縮部１５は開口部１０Ｐを幅方向に収縮させるように付勢する。一方で、採尿パッド１００の着用者（または介護者）は、弾性部材１５１の弾性力に抗して、開口部１０Ｐを広げることもできる。弾性部材１５１としては、例えば、ポリウレタン糸を使用できるが、ポリウレタンフィルムや天然ゴム等を使用してもよい。
【００３８】
図２に示すように、袋体１０の開口部１０Ｐには、開口部シート１６が設けられている。開口部シート１６は、トップシート１１の内側面からバックシート１２の外側面に架け渡されており、接着剤で各シートに付着している。開口部シート１６は、例えば比較的柔軟な繊維を用いた、不織布により構成されている。袋体１０を着用した着用者の肌には、比較的肌触りの柔らかな開口部シート１６が接触するため、袋体１０の装着による肌への刺激を低減できる。
【００３９】
また、図１に示すように、袋体１０の一方の側部には、開口部１０Ｐの縁から底部１０Ｂ側へ向けて切り込まれたスリット１７が設けられている。このスリット１７には、男性器のサイズに応じて開口部１０Ｐの開口サイズを固定するための固定部２が設けられている。
【００４０】
固定部２は、袋体１０のスリット１７にその基端部が付着される基材シート２１と、基材シート２１の中央よりも他端部側の部分に設けられた雄部材２２とを有する。雄部材２２は、例えば面ファスナーのフック材で構成されており、開口部シート１６の表面の任意の位置に対して着脱可能となっている。なお、バックシート１２を不織布とした場合には、雄部材２２は、バックシート１２の任意の位置に対しても着脱可能となる。
【００４１】
また、開口部１０Ｐの近傍のバックシート１２の外側面に雌部材（例えば、面ファスナーのループ材）を設け、当該雌部材に対して雄部材２２を付着させるようにしてもよい。また、雄部材２２を粘着テープとしてもよい。
【００４２】
図３は、採尿パッド１００の展開図である。採尿パッド１００は、トップシート１１と、略矩形の補助シート１４と、補助シート１４と同程度の大きさで略矩形状の吸収体１３と、トップシート１１と略同形状のバックシート１２とを、この順に積層した積層体３で構成されている。積層体３は、矩形部分と、該矩形部分の一方の側辺にその下底が重なるように隣接配置される台形部分とで構成されており、上半分と下半分とが略同一の形状を有している。
【００４３】
採尿パッド１００を製造する場合、まず、トップシート１１が内側となるように積層体３が折り曲げられる。具体的には、図３に示す積層体３の長手方向の中央付近において幅方向に延びる谷折り線３１を境にして、積層体３が谷状に折り曲げられる。そして、折り曲げられた積層体３の端部に沿う部分（シール接合領域４、斜線のハッチングで示す。）が熱シール機で接合されることで、袋体１０が構成される。すなわち、積層体３の上端（および下端）において、両側のシール接合領域４に挟まれる部分が、袋体１０の開口部１０Ｐを形成し、積層体３の谷折り線３１上の部分が袋体１０の底部１０Ｂを形成することとなる。
【００４４】
図１に示すように、袋体１０内部の一方側には、開口部１０Ｐに対して幅方向外側に広がる拡幅部１８が形成されている。そして袋体１０の内周は、開口部１０Ｐ縁部から袋体１０内部へ向かうにつれて次第に大きくなっている。このように袋体１０を構成することで、袋体１０による尿の収容体積が大きくなるとともに、開口部１０Ｐの内周を大きくせずに済むため、袋体１０が男性器Ｐから外れ易くなることを抑制できる。
【００４５】
また、図３に示すように、吸収体１３の幅方向の長さｄ１は、開口部１０Ｐの幅方向の長さ（＝積層体３の上端（または下端）における、両側のシール接合領域４間の距離）ｄ２と同一か、またはそれ以下となっている（すなわち、ｄ１≦ｄ２）。したがって、袋体１０内部には、吸収体１３が配置されていない非配置領域５Ｒが、底部１０Ｂに到達するように延在することとなる（図１参照）。
【００４６】
また、図１に示すように、吸収体１３は開口部１０Ｐの下方に配置されている。換言すれば、吸収体１３は、袋体１０の幅方向において、拡幅部１８とは反対側のシール接合領域４側に偏在している。そのため、吸収体１３の拡幅部１８側に幅広な非配置領域５Ｒが形成されることとなる。この非配置領域５Ｒでは、吸収体１３による尿の吸収が行われない。すなわち、非配置領域５Ｒによって、排泄された尿の流路が形成される。
【００４７】
図４は、採尿パッド１００を男性器Ｐに装着する様子を示す図である。採尿パッド１００を男性器に装着する場合には、まず着用者（または介護者）により、袋体１０の開口部１０Ｐが指等で広げられる。そして、開口部１０Ｐが広げられた状態で、袋体１０が着用者の男性器に覆い被せられる。この状態で着用者（または介護者）が開口部１０Ｐから指を離すことで、男性器が袋体１０の伸縮部１５に両側から挟まれる。
【００４８】
さらに着用者（または介護者）は、固定部２の雄部材２２を、開口部シート１６の適当な位置に付着することで、男性器Ｐのサイズに合うように開口部１０Ｐの開口サイズを調節する。これにより、男性器Ｐに対して採尿パッド１００がしっかりと固定される。
【００４９】
なお、図４に示すように、採尿パッド１００は、袋体１０の拡幅部１８側（すなわち、非配置領域５Ｒが設けられている側）が着用者に近接するように着用されることが好ましい。このように採尿パッド１００が着用されることで、男性器Ｐの先端部（尿道口）が非配置領域５Ｒ上に配置され易くなるため、排泄された尿が、非配置領域５Ｒ上を通って底部１０Ｂにまで到達し易くなる。したがって、吸収体１３のより広い範囲で尿を吸収し易くなるため、採尿パッド１００の尿の吸収効率が向上する。
【００５０】
また、本実施形態では、袋体１０の片側だけに拡幅部１８を設けているため、着用者（または介護者）は、袋体１０の形状から、袋体１０の着用すべき向きを特定できる。したがって、採尿パッド１００を上述のような好ましい形で着用することが容易になる。
【００５１】
なお、吸収体１３の幅方向の長さｄ１を、開口部１０Ｐの幅方向の長さｄ２と同一かそれ以下としているが、吸収体１３の幅方向の長さｄ１が開口部１０Ｐの長さｄ２を超えていてもよい（すなわち、ｄ１＞ｄ２）。ただし、排泄された尿が、底部１０Ｂに到達できるようにするため、非配置領域５Ｒの幅方向の長さ（吸収体１３の側端部とシール接合領域４との間の距離）が充分に確保されることが望ましい。
【００５２】
以上のように、本実施形態の採尿パッド１００によれば、袋体１０内部の内周を開口部の内周よりも大きくすることで、開口部１０Ｐが拡大することを抑えつつ、袋体１０内部の体積を増やすことができる。これにより、袋体１０の内部において、充分な量の吸収体１３を配置できるとともに、吸収体１３を配置しない非配置領域５Ｒをも確保できる。したがって、排泄された尿が非配置領域５Ｒを通って袋体１０の底部へ向けて流れ易くなるため、採尿パッド１００の尿の吸収効率が向上する。
【００５３】
＜２．  第２実施形態＞
第１実施形態では、一方の側部に拡幅部１８を設け、該拡幅部１８に排泄された尿の流路となる非配置領域５Ｒを形成しているが、非配置領域５Ｒの設け方はこれに限られるものではない。
【００５４】
図５は、第２実施形態に係る採尿パッド１００ａを示す全体図である。なお、本実施形態の説明において、第１実施形態と同様の機能を有する要素については、同一符号を付してその説明を省略する。以降の実施形態でも同様とする。
【００５５】
採尿パッド１００ａを構成する袋体１０ａの両側には、開口部１０Ｐ縁部から幅方向外側に広がる拡幅部１８ａが設けられている。そして、本実施形態の吸収体１３は、採尿パッド１００ａのほぼ中央に配置されている。そして吸収体１３の両側辺は、それぞれ両側のシール接合領域４から同程度隔てられており、吸収体１３の両側に非配置領域５Ｒが形成されている。
【００５６】
採尿パッド１００ａでは、袋体１０ａの両側に拡幅部１８ａを設けられており、これらの部分に非配置領域５Ｒが形成されている。そのため、どちらの拡幅部１８ａを着用者に近接するように採尿パッド１００ａを着用した場合であっても、排泄された尿がどちらかの非配置領域５Ｒを通って底部１０Ｂに到達し易くなっている。したがって、吸収体１３のより広い範囲で尿を吸収し易くなるため、採尿パッド１００ａの尿の吸収効率が向上する。
【００５７】
＜３．  第３実施形態＞
図６は、第３実施形態に係る採尿パッド１００ｂを示す全体図である。また、図７は、採尿パッド１００ｂの展開図である。採尿パッド１００ｂを構成する袋体１０ｂは、図7に示す略矩形の積層体３ｂで構成されている。積層体３（図２）と同様に、長手方向の中央付近において幅方向に延びる谷折り線３１ｂを境に折り曲げて、折り曲げた積層体３をその側端部に沿うシール接合領域４で接合することにより、袋体１０ｂが形成される。
【００５８】
本実施形態では、吸収体１３と両側のシール接合領域４との間の距離（ｄ３，ｄ４）について、どちらか一方が大きくなるように、吸収体１３が配置されている（ここでは、ｄ３＞ｄ４）。したがって、上記距離が大きい方の側に、より幅広な非配置領域５Ｒが形成されることとなる。このように、吸収体１３の配置位置を袋体１０ｂの幅方向に偏在させることで、吸収体１３の片側に、幅広な非配置領域５Ｒを形成できる。
【００５９】
なお、着用者が採尿パッド１００ｂを着用する場合、幅広な非配置領域５Ｒが着用者側に近接するように着用されることが好ましい。このように着用することで、男性器Ｐの先端が非配置領域５Ｒに配置され易くなり、これによって排泄された尿が底部１０Ｂに向けて流れ易くなる。このように、吸収体１３の配置位置を偏在させることで、拡幅部１８を設けることなく尿の通路となる非配置領域５Ｒを形成できる。
【００６０】
＜４．  変形例＞
以上、本発明の一実施形態について説明したが、本発明は上記の実施形態に限定されるものではない。
【００６１】
例えば、図８に示すように、図６に示す略矩形の袋体１０ｂについて、開口部１０Ｐの幅方向の片側において、長手方向に対し傾斜するシール接合領域４１で接合することで、開口部１０Ｐを小さくしつつ、袋体１０ｂの内径が開口部１０Ｐから内部に向けて次第に大きくなる袋体を形成できる。
【００６２】
また、袋体１０の底部１０Ｂ近傍においては、トップシート１１とバックシート１２との間に吸収体１３が介在しないようにしてもよい。このようにすれば、袋体１０の底部近傍部分の厚みを小さくすることができる。
【００６３】
また、上記の実施形態では、１つの積層体３を折り曲げて、その側辺を接合することにより、袋体１０が形成されていたが、例えば積層体３の上半分（または下半分）と同一形状の積層体を２枚重ね合わせて、両側と底側とを接合することで、袋体を形成してもよい。
【００６４】
また、各実施形態および変形例で示した各要素は、矛盾が生じない限りにおいて互いに組み合わせたりすることができる。
【符号の説明】
【００６５】
１００，１００ａ，１００ｂ  採尿パッド
１０，１０ａ，１０ｂ  袋体
１０Ｂ  底部
１０Ｐ  開口部
１１  トップシート
１２  バックシート
１３  吸収体
１５  伸縮部
１６  開口部シート
１８，１８ａ  拡幅部
２  固定部
３，３ｂ  積層体
５Ｒ  非配置領域
Ｐ  男性器
【図１】
0005508794.tif 000002
【図２】
0005508794.tif 000003
【図３】
0005508794.tif 000004
【図４】
0005508794.tif 000005
【図５】
0005508794.tif 000006
【図６】
0005508794.tif 000007
【図７】
0005508794.tif 000008
【図８】
0005508794.tif 000009